(57)【要約】      （修正有）【課題】介錯ロープで吊り荷を誘導している作業者が、この握っている介錯ロープの位置で吊り荷に近付いているかどうかを判断することにより、吊り荷を安全に誘導する。【解決手段】作業者が握ることができる程度の外径を有するロープ２と、ロープ２の一端に取り付けられた、吊り荷自体又は吊上げているロープ・ワイヤーに掛け止めるフック３と、ロープ２に形成された、フック３側から危険領域部５、注意領域部６と安全領域部７にあるかの注意を作業者に喚起させ得るように視覚的、形状的な変化を有する注意喚起部４と、から成り、注意喚起部４により、３色介錯ロープ１の他端からフック３側に近付くに従い危険性が高くなることを「安全領域」から「注意領域」と「危険領域」の３段階で作業者に注意喚起をさせるように構成した。【選択図】図１
2018002458.tif 000002
【特許請求の範囲】
【請求項１】
クレーン（Ｃ）ようなの吊上げ機材により吊上げた吊り荷（Ｐ）を、作業者（Ｗ）が所望の位置まで誘導する３色介錯ロープ（１，１１，２１，３１）であって、
作業者（Ｗ）が握ることができる程度の外径を有するロープ（２）と、
前記ロープ（２）の一端に取り付けられた、吊り荷（Ｐ）自体又は吊上げているロープ・ワイヤー（Ｒ）に掛け止めるフック（３）と、
前記ロープ（２）に形成された、前記フック（３）側から危険領域部（５）、注意領域部（６）と安全領域部（７）にあるかの注意を作業者（Ｗ）に喚起させ得るように視覚的、形状的な変化を有する注意喚起部（４）と、から成り、
前記注意喚起部（４）により、前記３色介錯ロープ（１，１１，２１，３１）の他端から前記フック（３）側に作業者（Ｗ）が近付くに従い危険性が高くなることを「安全領域」から「注意領域」と「危険領域」の３段階でその作業者（Ｗ）に注意を喚起させ得るように構成した、ことを特徴とする３色介錯ロープ。
【請求項２】
前記注意喚起部（４）は、前記危険領域部（５）が「赤色」に、前記注意領域部（６）が「黄色」に、前記安全領域部（７）が「緑色」の順番に前記ロープ（２）に着色されたものである、ことを特徴とする請求項１の３色介錯ロープ。
【請求項３】
前記注意喚起部（４）は、前記危険領域部（５）が編み目が荒い粗編み目のロープ（２）、前記安全領域部（７）が該荒い粗編み目のロープ（２）より編み目が細かい密編み目のロープ（２）で、この中間の注意領域部（６）は該粗編み目と密編み目との中間になる中間編み目のロープ（２）から成り、該ロープ（２）の編み方に変化を付けたものである、ことを特徴とする請求項１の３色介錯ロープ。
【請求項４】
前記注意喚起部（４）は、前記危険領域部（５）が太いデニールのロープ（２）、前記安全領域（７）が細いデニールのロープ（２）、前記注意領域部（６）が該太いデニールのロープ（２）と該細いデニールのロープ（２）との中間になるデニールのロープ（２）とから成り、該ロープ（２）のデニールに変化を付けたものである、ことを特徴とする請求項１の３色介錯ロープ。
【請求項５】
前記注意喚起部（４）は、前記危険領域部（５）、注意領域部（６）、安全領域部（７）のロープ（２）それぞれの太さ自体を異なるものにした、ことを特徴とする請求項１の３色介錯ロープ。
【請求項６】
前記注意喚起部（４）は、前記危険領域部（５）と前記注意領域部（６）とを連結する第１連結部（９ａ）が他の位置の前記ロープ（２）の外径より太く、
前記注意領域部（６）と前記安全領域部（７）とを連結する第２連結部（９ｂ）が他の位置の該ロープ（２）の外径より太い、ことを特徴とする請求項１、２、３，４又は５の３色介錯ロープ。
【発明の詳細な説明】
【技術分野】
【０００１】
本発明は、クレーン等の吊り上げ機材により吊り上げた荷物、資材等の吊り荷を安全に誘導する介錯ロープに係り、特に吊り荷を誘導している作業者が握っている介錯ロープの位置で、作業者がこの吊り荷に近付いているか否かを知らせることができる３色介錯ロープに関する。
【背景技術】
【０００２】
建築現場又は工事現場で荷物、資材等をクレーン等で吊り上げる際に、荷物又は資材等を直接あるいはワイヤーロープでクレーンのフックに掛ける作業は玉掛け作業と称されている。この玉掛け作業で吊り上げた吊り荷が、不用意に動かないように誘導するときに介錯ロープが使用されている。この介錯ロープは、親網と共に良く使用されるロープである。この介錯ロープは、作業者が吊り荷の下に入らないように、ある程度の長さを有し、作業者がこれを引っ張りながら、吊り荷を所望の位置に誘導するものである。
【０００３】
この介錯ロープは、ロープの一端にフックが取り付けられたものである。この介錯ロープは、例えば建築現場における長尺物の吊り荷には、その端部にフック部分を掛け止めて使用する。また、縦長で縦吊りの場合（門型状のもの）では、その最下部にフック部分を掛け止めて使用する。
【０００４】
このような介錯ロープを用いて、吊り上げ、吊り降ろし作業をしている作業者は、降下作業に夢中になり、吊り荷の下方に入り、危険な作業になることがあった。また、狭い建築現場のときも、資材を降ろす際に、介錯ロープを短く持ち、資材の近くに寄りやすかった。
【０００５】
そこで、このように使用される介錯ロープの安全性を向上させるための技術が提案されている。例えば特許文献１の特開平５−２９４５９６号公報「吊荷用介錯ロープの警報装置」のように、吊荷に一端側が繋着された介錯ロープの下端部に、該介錯ロープの下端部と被測定物との距離を測定するための超音波センサーを設け、該超音波センサーからの電気信号で前記距離を算出して設定条件になると警報信号を発生する制御装置を設け、該制御装置の警報信号により警報を発する警報発生器を前記介錯ロープの下端部とクレーン操作室に設けたことを特徴としてなる吊荷用介錯ロープの警報装置が提案されている。
【先行技術文献】
【特許文献】
【０００６】
【特許文献１】特開平５−２９４５９６号公報
【発明の概要】
【発明が解決しようとする課題】
【０００７】
しかし、従来の介錯ロープでは、作業者が降下作業に夢中になり、介錯ロープを持ちながら作業していても吊り荷に近付くことがあった。介錯ロープの意味を果たさず吊り荷を安全に所望の位置に降ろすことができないことがあった。更に、狭い建築現場では、この介錯ロープを短く持ちやすく、吊り荷に近付きやすいという問題を有していた。
【０００８】
また、特許文献１の「吊荷用介錯ロープの警報装置」は、超音波センサを用いて警報信号を発生することで、吊り荷を扱う作業者が不意に吊り荷の下方に入り込む等の危険な状態は避けられるが、作業者自身に自分が危険な領域（吊り荷に近い位置）に近付いていることを知らせることはできなかった。
【０００９】
本発明は、かかる問題点を解決するために創案されたものである。すなわち、本発明の目的は、介錯ロープ自体に安全な距離、注意を要する距離、危険な距離であることを作業者に知らせる機能を施すことで、介錯ロープで吊り荷を誘導している作業者が、この握っている介錯ロープの位置で吊り荷に近付いているかどうかを判断することにより、吊り荷を安全に誘導できる３色介錯ロープを提供することにある。
【課題を解決するための手段】
【００１０】
本発明は、クレーン（Ｃ）ようなの吊上げ機材により吊上げた吊り荷（Ｐ）を、作業者（Ｗ）が所望の位置まで誘導する３色介錯ロープ（１，１１，２１，３１）であって、
作業者（Ｗ）が握ることができる程度の外径を有するロープ（２）と、
前記ロープ（２）の一端に取り付けられた、吊り荷（Ｐ）自体又は吊上げているロープ・ワイヤー（Ｒ）に掛け止めるフック（３）と、
前記ロープ（２）に形成された、前記フック（３）側から危険領域部（５）、注意領域部（６）と安全領域部（７）にあるかの注意を作業者（Ｗ）に喚起させ得るように視覚的、形状的な変化を有する注意喚起部（４）と、から成り、
前記注意喚起部（４）により、前記３色介錯ロープ（１，１１，２１，３１）の他端から前記フック（３）側に作業者（Ｗ）が近付くに従い危険性が高くなることを「安全領域」から「注意領域」と「危険領域」の３段階でその作業者（Ｗ）に注意を喚起させ得るように構成した、ことを特徴とする。
前記注意喚起部（４）は、前記危険領域部（５）が「赤色」に、前記注意領域部（６）が「黄色」に、前記安全領域部（７）が「緑色」の順番に前記ロープ（２）に着色されたものである。
【００１１】
前記注意喚起部（４）は、前記危険領域部（５）が編み目が荒い粗編み目のロープ（２）、前記安全領域部（７）が該荒い粗編み目のロープ（２）より編み目が細かい密編み目のロープ（２）で、この中間の注意領域部（６）は該粗編み目と密編み目との中間になる中間編み目のロープ（２）から成り、該ロープ（２）の編み方に変化を付けたものである。  前記注意喚起部（４）は、前記危険領域部（５）が太いデニールのロープ（２）、前記安全領域（７）が細いデニールのロープ（２）、前記注意領域部（６）が該太いデニールのロープ（２）と該細いデニールのロープ（２）との中間になるデニールのロープ（２）とから成り、該ロープ（２）のデニールに変化を付けたものである。
または、前記注意喚起部（４）は、前記危険領域部（５）、注意領域部（６）、安全領域部（７）のロープ（２）それぞれの太さ自体を異なるものにしたものである。
【００１２】
前記注意喚起部（４）は、前記危険領域部（５）と前記注意領域部（６）とを連結する第１連結部（９ａ）が他の位置の前記ロープ（２）の外径より太く、  前記注意領域部（６）と前記安全領域部（７）とを連結する第２連結部（９ｂ）が他の位置の該ロープ（２）の外径より太くすることが好ましい。
【発明の効果】
【００１３】
本発明の構成では、３色介錯ロープ（１，１１，２１，３１）にフック（３）側から危険領域部（５）、注意領域部（６）と安全領域部（７）にあるかの別を作業者（Ｗ）に知らせる注意喚起部（４）が形成されているので、荷降ろしをする作業者（Ｗ）に、現在安全な位置で吊り荷（Ｐ）を誘導しているか、危険な吊り荷（Ｐ）の下に近づいているかを知らせることができる。そこで、作業者（Ｗ）は吊り荷（Ｐ）の降下作業を安全に進めることができる。
【００１４】
昼間の作業現場又は作業現場が明るい場所であれば、３色介錯ロープ（１）が吊り荷（Ｐ）に掛け止められたフック（３）側から赤色、黄色、緑色と着色されていることを容易に視認することができる。作業者（Ｗ）は、安全領域部（７）の緑色部分から、注意領域部（６）の黄色部分を持っていれば安全に作業できることを意識し、危険領域部（５）の赤色部分を持ったときは、吊り荷（Ｐ）から離れて作業を進めることを意識するようになる。
【００１５】
屋内の作業現場又は作業現場に陰ができやすい場所のときは、作業者（Ｗ）が３色介錯ロープ（１）の３色の着色を判断しづらいことがある。また、真夏の太陽光が強く、作業者（Ｗ）がサングラスをかけて作業しているときも、３色介錯ロープ（１１）の３色の着色を判断しづらいことがある。このようなときは、ロープ（２）の編み方に変化を付けた３色介錯ロープ（１１）によれば、握っているロープ（２）の位置で、安全領域部（７）か、注意領域部（６）か、危険領域部（５）かを判断でき、吊り荷（Ｐ）から離れて作業を進めることができる。
【００１６】
同様に、ロープ（２）のデニールに変化を付けた３色介錯ロープ（２１）によれば、細いデニールのロープ（２）は柔らかい感触を呈するが、太いデニールのロープ（２）は硬い感触を呈し、作業者（Ｗ）は握っているロープ（２）の位置を識別することができる。そこで、柔らかい感触のときは安全領域部（７）か、注意領域部（６）を持っていると認識でき安全に作業でき、硬い感触のときは、現在危険領域部（５）を握っていることを意識することができる。
更に、ロープ（２）の太さ自体を異なる太さにした３色介錯ロープ（３１）によっても、作業者（Ｗ）に握っているロープ（２）の位置を識別させることができる。
【００１７】
各領域部（５，６、７）の連結部（９ａ，９ｂ）が他の位置のロープ（２）の外径より太い３色介錯ロープ（２）では、作業に夢中になっている作業者（Ｗ）はロープ（２）の握っている位置が変化したことに気づきやすい。この連結部は第１連結部（９ａ）と第２連結部（９ｂ）と２か所あるので、上方を見て手元を見ていない作業者（Ｗ）は、２回目の連結部を感知したときは、現在危険領域部（５）を握っていることを知り、危険領域にいることを認識しやすくなる。
【図面の簡単な説明】
【００１８】
【図１】実施例１の３色介錯ロープを示す正面図である。
【図２】本発明の３色介錯ロープの使用状態を示す斜視図である。
【図３】クレーン車のクレーンに玉掛け作業で吊り下げた吊り荷を降下させる状態を示す正面図である。
【図４】本発明の３色介錯ロープの変形例を示す正面図である。
【図５】実施例２のロープの編み方に変化を付けた注意喚起部を有する３色介錯ロープを示す正面図である。
【図６】実施例３のロープのデニールに変化を付けた注意喚起部を有する３色介錯ロープを示す正面図である。
【図７】実施例４のロープの太さ自体を異なる太さにした注意喚起部を有する３色介錯ロープを示す正面図である。
【発明を実施するための形態】
【００１９】
本発明は、ロープの一端に取り付けられた、吊り荷自体又は吊上げているロープ・ワイヤーに掛け止めるフックと、ロープに、フック側から危険領域部、注意領域部と安全領域部にあるかを作業者に注意喚起させるように視覚的、形状的な変化を有する注意喚起部と、から成り、この注意喚起部により、作業者が３色介錯ロープの他端からフック側に近付くに従い、危険性が高いことを「安全領域」から「注意領域」と「危険領域」の３段階で作業者に注意喚起をさせ得るものである。
【実施例１】
【００２０】
以下、本発明の実施の形態を図面を参照して説明する。
＜３色介錯ロープの構成＞
図１は実施例１の３色介錯ロープを示す正面図である。図２は介錯ロープの使用状態を示す斜視図である。図３はクレーン車のクレーンに玉掛け作業で吊り下げた吊り荷を降下させる状態を示す正面図である。
実施例１の３色介錯ロープ１は、図１に示すように、ロープ２の一端に、吊り荷Ｐ自体又は吊り上げているロープ・ワイヤーＲに掛け止めるフック３が取り付けられ、このロープ２に注意喚起部４が形成されたものである。実施例１の３色介錯ロープ１の注意喚起部４は、危険領域部５が赤色に、注意領域部６が黄色に、安全領域部７が緑色の順番にそれぞれ着色されたものである。
【００２１】
ロープ２は全長５ｍ程度の長さを有する。吊り荷Ｐから３ｍ程度離れて誘導することができ、また２ｍ程度の長さは作業者Ｗが握りやすい長さだからである。ロープ２は例えばポリエステル製の素材から成るものを用いる。ロープ２はこのポリエステル製に限定されないことは勿論である。
【００２２】
ロープ２の一端に、フック３を掛け止めるループ状のアイスプライス８（ＥＹＥ  ＳＰＬＩＣＥ）が形成されている。このアイスプライス８は、ロープ２を解して縫製して作る。またはロープ２にノットを作って作る場合などがある。
【００２３】
このアイスプライス８に、フック３を着脱自在に取り付ける。必要に応じてロープ２にスリーブ、シンブルを取り付けることもできる。
【００２４】
＜注意喚起部の構成＞
実施例１の３色介錯ロープ１の注意喚起部４は、図１に示すように、フック３側から危険領域部５が「赤色」に、注意領域部６が「黄色」に、安全領域部７が「緑色」になる順番にロープ２にそれぞれ着色されたものである。異なる色彩のロープ２を３本つなげる場合と、１本のロープ２に異なる塗料を着色する場合とがある。
【００２５】
このようにフック３側から危険領域部５、注意領域部６と安全領域部７といった形状的、視覚的な変化を有する注意喚起部４をロープ２に形成することで、作業者Ｗがフック３側に近づくに従い、作業者Ｗに危険性が高いことを３段階で注意喚起させることができる。なお、３色介錯ロープ１では、３色の色に相違があれば、この赤色、黄色、緑色の順番に限定されない。また。色彩の種類も赤色、黄色、緑色に限定されない。
【００２６】
注意喚起部４における危険領域部５のロープ２の長さは、約１．５ｍである。注意領域部６のロープ２の長さは、約１．５ｍである。安全領域部７のロープ２の長さは、約２ｍである。これだけの長さがあれば、吊り荷Ｐから約３ｍ程度離れることができ、安全に誘導作業することができる。なお、これらの１．５ｍ、１．５ｍ、２ｍは目安であって、この長さに厳格に従うことはない。
【００２７】
＜３色介錯ロープの使用方法の説明＞
このように構成した本発明の３色介錯ロープ１は、図２と図３に示すように、使用に際して作業者Ｗは、その握っているロープ２の位置を判別することで、現在安全な位置で吊り荷Ｐを誘導しているか、吊り荷Ｐの下に近づいて危険な状態にあるかを知ることができる。３色介錯ロープ１の注意喚起部４により、フック３側から危険領域部５、注意領域部６と安全領域部７のどの位置でロープ２を握っているのかを容易に判断できる。そこで、作業者Ｗは吊り荷Ｐの誘導作業、降下作業を安全に進めることができる。
【００２８】
昼間の作業現場又は作業現場が明るい場所であれば、作業者Ｗは本発明の３色介錯ロープ１について、吊り荷Ｐが掛けられたフック３側から着色された赤色、黄色、緑色の別を容易に判別できる。交通信号灯と同じように３色の各領域で、安全領域部７の緑色部分から注意領域部６の黄色部分を持っていれば一応安全に作業できることを作業者Ｗは意識できる。しかし、危険領域部５の赤色部分を持ち始めたら、危険な領域になり、吊り荷Ｐから離れることを意識するようになる。
【００２９】
＜３色介錯ロープの変形例＞
図４は本発明の３色介錯ロープの変形例を示す正面図である。
３色介錯ロープ１は、危険領域部５、注意領域部６と安全領域部７はすべて同じ外径のロープ２にする必要はない。例えば、３色介錯ロープ１は、「赤色」の危険領域部５と「黄色」の注意領域部６とを連結する部分を第１連結部９ａとし、この第１連結部９ａを他の位置のロープ２の外径より太くする。同じく「黄色」の注意領域部６と「緑色」の安全領域部７とを連結する部分を第２連結部９ｂとし、この第２連結部９ｂも他の位置のロープ２の外径より太い構成にすることができる。
【００３０】
各領域部５，６，７の連結部９ａ，９ｂが他の位置のロープ２の外径より太いので、作業に夢中になっている作業者Ｗはロープ２を握っている位置が変化したことに気づきやすい。この連結部は第１連結部９ａと第２連結部９ｂと２か所あるので、上方を見て手元を見ていない作業者Ｗは、２回連結部を感知したときは、現在危険領域部５を握っていることを知り、危険領域にいることを認識しやすくなる。
【００３１】
これらの第１連結部９ａと第２連結部９ｂは、連結する各ロープ２の先端を解し、それぞれ解されてバラバラになったものを一本ずつを交互に重ね合わせ、それぞれを編み込みして連結したものである。この編み込み部分がロープ２の他の部分と形状、太さ（外径）が異なり連結部と認識しやすくなる。  または単純に第１連結部９ａと第２連結部９ｂは、ロープ２の該当する位置にテープ（図示せず）などを巻き付けて太さ（外径）を変えた状態のものでもよい。
【実施例２】
【００３２】
＜実施例２の３色介錯ロープの注意喚起部の構成＞
図５は実施例２のロープの編み方に変化を付けた注意喚起部を有する３色介錯ロープを示す正面図である。
作業現場が屋内、又は陰になる場所のときは、３色介錯ロープ１の３色の着色を判断しづらいことがある。また、真夏の太陽光が強いため、作業者Ｗがサングラスをかけて作業しているときも、３色介錯ロープ１の３色の着色を判断しづらいことがある。このようなときは、３色介錯ロープ１の注意喚起部４の視覚的な変化即ち色彩の相違にのみ限定されない。
注意喚起部４はロープ２自体に、視覚的、形状的な何らかの相違（変化）があれば作業者Ｗに注意喚起をさせることができる。実施例２の３色介錯ロープ１１の注意喚起部４は、危険領域部５は編み目が荒い粗編み目のロープ２、安全領域部７はこの荒い粗編み目より細かい密編み目のロープ２で、注意領域部６は粗編み目と密編み目との中間になる中間編み目のロープ２から成るようにその編み方に変化を付けた。
【００３３】
実施例２の３色介錯ロープ１１のようにロープ２の編み方に変化を付けた注意喚起部４を有する介錯ロープによれば、作業者Ｗが握っているロープ２の位置で、安全領域部７か、注意領域部６の中間編み目部分のロープ２を持っていれば安全に作業できることを作業者Ｗに意識させ、危険領域部５の粗編み目を持ったときは、吊り荷Ｐから離れることを意識させるようになる。
【実施例３】
【００３４】
＜実施例３の３色介錯ロープの注意喚起部の構成＞
図６は実施例３のロープのデニールに変化を付けた注意喚起部を有する３色介錯ロープを示す正面図である。
実施例３の３色介錯ロープ２１の注意喚起部４は、危険領域部５に太いデニールのロープ２を、安全領域部７は細いデニールのロープ２を、この中間の注意領域部６は太いデニールのロープ２と細いデニールのロープ２との中間になる中程度のデニールのロープ２から成るものである。即ち、実施例３の３色介錯ロープ２１は、ロープ２のデニールに変化を付けたものである。
【００３５】
ロープ２のデニールに変化を付けた実施例３の３色介錯ロープ２１によれば、細いデニールのロープ２は柔らかい感触を呈するが、太いデニールのロープ２は硬い感触を呈し、作業者Ｗにその握っているロープ２の位置を識別させることができる。そこで、柔らかい感触のときは安全領域部７か、注意領域部６を持っているので安全に作業でき、硬い感触のときは、現在危険領域部５を握っていることを知らせ、吊り荷Ｐから離れることを意識させることができる。
【実施例４】
【００３６】
＜実施例４の３色介錯ロープの注意喚起部の構成＞
図７は実施例４のロープの太さ自体を異なる太さにした注意喚起部を有する３色介錯ロープを示す正面図である。
実施例３の３色介錯ロープ３１の注意喚起部４は、危険領域部５、注意領域部６、安全領域部７のロープの太さ自体を異なるようにしたものである。このような構成の３色介錯ロープ３１であっても安全領域部７か、注意領域部６を持っていれば安全に作業でき、現在危険領域部５を握っていることを知らせ、吊り荷Ｐから離れることを意識させることができる。
【００３７】
＜３色介錯ロープの変形例（連結部）＞
上述した実施例２，３，４の３色介錯ロープ１１，２１，３１についても、危険領域部５、注意領域部６と安全領域部７はすべて同じ外径のロープ２にする必要はない。例えば、ロープ２は、危険領域部５と注意領域部６とを連結する第１連結部９ａは他の位置のロープ２の外径より太く、同じく注意領域部６と安全領域部７とを連結する第２連結部９ｂは他の位置のロープ２の外径より太い構成にすることができる。
【００３８】
なお、本発明は、３色介錯ロープ１，１１，２１，３１自体に安全な距離、注意を要する距離、危険な距離であることを作業者Ｗに知らせる工夫を施すことで、３色介錯ロープ１，１１，２１，３１で吊り荷Ｐを誘導している作業者Ｗが、この握っているロープ２の位置で吊り荷Ｐに近付いているかどうかの注意を喚起させることにより、吊り荷Ｐを安全に誘導できれば、上述した発明の実施の形態に限定されず、本発明の要旨を逸脱しない範囲で種々変更できることは勿論である。
【産業上の利用可能性】
【００３９】
本発明は、建築現場、工事現場における、荷物、資材等の吊り荷を安全に誘導する際に利用することができる。
【符号の説明】
【００４０】
１，１１，２１，３１  ３色介錯ロープ
２  ロープ
３  フック
４  注意喚起部
５  危険領域部
６  注意領域部
７  安全領域部
９ａ  第１連結部
９ｂ  第２連結部
Ｃ  クレーン
Ｐ  吊り荷
Ｗ  作業者 
【図１】
2018002458.tif 000003
【図２】
2018002458.tif 000004
【図３】
2018002458.tif 000005
【図４】
2018002458.tif 000006
【図５】
2018002458.tif 000007
【図６】
2018002458.tif 000008
【図７】
2018002458.tif 000009
【手続補正書】
【提出日】平成28年11月25日(2016.11.25)
【手続補正１】
【補正対象書類名】明細書
【補正対象項目名】００１０
【補正方法】変更
【補正の内容】
【００１０】
本発明は、クレーン（Ｃ）のような吊上げ機材により吊上げた吊り荷（Ｐ）を、作業者（Ｗ）が所望の位置まで誘導する３色介錯ロープ（１，１１，２１，３１）であって、
作業者（Ｗ）が握ることができる程度の外径を有するロープ（２）と、
前記ロープ（２）の一端に取り付けられた、吊り荷（Ｐ）自体又は吊上げているロープ・ワイヤー（Ｒ）に掛け止めるフック（３）と、
前記ロープ（２）に形成された、前記フック（３）側から危険領域部（５）、注意領域部（６）と安全領域部（７）にあるかの注意を作業者（Ｗ）に喚起させ得るように視覚的、形状的な変化を有する注意喚起部（４）と、を有し、
前記注意喚起部（４）により、前記３色介錯ロープ（１，１１，２１，３１）の他端から前記フック（３）側に作業者（Ｗ）が近付くに従い危険性が高くなることを「安全領域」から「注意領域」と「危険領域」の３段階でその作業者（Ｗ）に注意を喚起させ得るように構成した、ことを特徴とする。
前記注意喚起部（４）は、前記危険領域部（５）が「赤色」に、前記注意領域部（６）が「黄色」に、前記安全領域部（７）が「緑色」の順番に前記ロープ（２）に着色されたものである。
【手続補正２】
【補正対象書類名】明細書
【補正対象項目名】００１１
【補正方法】変更
【補正の内容】
【００１１】
前記注意喚起部（４）は、前記危険領域部（５）が編み目が荒い粗編み目のロープ（２）、前記安全領域部（７）が該荒い粗編み目のロープ（２）より編み目が細かい密編み目のロープ（２）で、この中間の注意領域部（６）は該粗編み目と密編み目との中間になる中間編み目のロープ（２）を有し、該ロープ（２）の編み方に変化を付けたものである。  前記注意喚起部（４）は、前記危険領域部（５）が太いデニールのロープ（２）、前記安全領域（７）が細いデニールのロープ（２）、前記注意領域部（６）が該太いデニールのロープ（２）と該細いデニールのロープ（２）との中間になるデニールのロープ（２）とから成り、該ロープ（２）のデニールに変化を付けたものである。
または、前記注意喚起部（４）は、前記危険領域部（５）、注意領域部（６）、安全領域部（７）のロープ（２）それぞれの太さ自体を異なるものにしたものである。
【手続補正３】
【補正対象書類名】明細書
【補正対象項目名】００１２
【補正方法】変更
【補正の内容】
【００１２】
前記注意喚起部（４）は、前記危険領域部（５）と前記注意領域部（６）とを連結する第１連結部（９ａ）が他の位置の前記ロープ（２）の外径より太く、  前記注意領域部（６）と前記安全領域部（７）とを連結する第２連結部（９ｂ）が他の位置の該ロープ（２）の外径より太くすることが好ましい。
【手続補正４】
【補正対象書類名】明細書
【補正対象項目名】００１５
【補正方法】変更
【補正の内容】
【００１５】
屋内の作業現場又は作業現場に陰ができやすい場所のときは、作業者（Ｗ）が３色介錯ロープ（１）の３色の着色を判断しづらいことがある。また、真夏の太陽光が強く、作業者（Ｗ）がサングラスをかけて作業しているときも、３色介錯ロープ（１）の３色の着色を判断しづらいことがある。このようなときは、ロープ（２）の編み方に変化を付けた３色介錯ロープ（１１）によれば、握っているロープ（２）の位置で、安全領域部（７）か、注意領域部（６）か、危険領域部（５）かを判断でき、吊り荷（Ｐ）から離れて作業を進めることができる。
【手続補正５】
【補正対象書類名】明細書
【補正対象項目名】００１７
【補正方法】変更
【補正の内容】
【００１７】
各領域部（５，６、７）の連結部（９ａ，９ｂ）が他の位置のロープ（２）の外径より太い３色介錯ロープ（１）では、作業に夢中になっている作業者（Ｗ）はロープ（２）の握っている位置が変化したことに気づきやすい。この連結部は第１連結部（９ａ）と第２連結部（９ｂ）と２か所あるので、上方を見て手元を見ていない作業者（Ｗ）は、２回目の連結部を感知したときは、現在危険領域部（５）を握っていることを知り、危険領域にいることを認識しやすくなる。
【手続補正６】
【補正対象書類名】特許請求の範囲
【補正対象項目名】全文
【補正方法】変更
【補正の内容】
【特許請求の範囲】
【請求項１】
クレーン（Ｃ）のような吊上げ機材により吊上げた吊り荷（Ｐ）を、作業者（Ｗ）が所望の位置まで誘導する３色介錯ロープ（１，１１，２１，３１）であって、
作業者（Ｗ）が握ることができる程度の外径を有するロープ（２）と、
前記ロープ（２）の一端に取り付けられた、吊り荷（Ｐ）自体又は吊上げているロープ・ワイヤー（Ｒ）に掛け止めるフック（３）と、
前記ロープ（２）に形成された、前記フック（３）側から危険領域部（５）、注意領域部（６）と安全領域部（７）にあるかの注意を作業者（Ｗ）に喚起させ得るように視覚的、形状的な変化を有する注意喚起部（４）と、を有し、
前記注意喚起部（４）により、前記３色介錯ロープ（１，１１，２１，３１）の他端から前記フック（３）側に作業者（Ｗ）が近付くに従い危険性が高くなることを「安全領域」から「注意領域」と「危険領域」の３段階でその作業者（Ｗ）に注意を喚起させ得るように構成した、ことを特徴とする３色介錯ロープ。
【請求項２】
前記注意喚起部（４）は、前記危険領域部（５）が「赤色」に、前記注意領域部（６）が「黄色」に、前記安全領域部（７）が「緑色」の順番に前記ロープ（２）に着色されたものである、ことを特徴とする請求項１の３色介錯ロープ。
【請求項３】
前記注意喚起部（４）は、前記危険領域部（５）が編み目が荒い粗編み目のロープ（２）、前記安全領域部（７）が該荒い粗編み目のロープ（２）より編み目が細かい密編み目のロープ（２）で、この中間の注意領域部（６）は該粗編み目と密編み目との中間になる中間編み目のロープ（２）を有し、該ロープ（２）の編み方に変化を付けたものである、ことを特徴とする請求項１の３色介錯ロープ。
【請求項４】
前記注意喚起部（４）は、前記危険領域部（５）が太いデニールのロープ（２）、前記安全領域（７）が細いデニールのロープ（２）、前記注意領域部（６）が該太いデニールのロープ（２）と該細いデニールのロープ（２）との中間になるデニールのロープ（２）とから成り、該ロープ（２）のデニールに変化を付けたものである、ことを特徴とする請求項１の３色介錯ロープ。
【請求項５】
前記注意喚起部（４）は、前記危険領域部（５）、注意領域部（６）、安全領域部（７）のロープ（２）それぞれの太さ自体を異なるものにした、ことを特徴とする請求項１の３色介錯ロープ。
【請求項６】
前記注意喚起部（４）は、前記危険領域部（５）と前記注意領域部（６）とを連結する第１連結部（９ａ）が他の位置の前記ロープ（２）の外径より太く、
前記注意領域部（６）と前記安全領域部（７）とを連結する第２連結部（９ｂ）が他の位置の該ロープ（２）の外径より太い、ことを特徴とする請求項１、２、３，４又は５の３色介錯ロープ。